(57)【要約】  本発明の目的は、吹き過ぎ塗料が混入した未処理気体流れを浄化するためのフィルタ装置を具備し、フィルタ補助材を節約する効果的なフィルタ動作が実施可能であるフィルタ設備をもたらすことであり、本フィルタ装置は、吹き過ぎ塗料が混入した未処理気体流れからの吹き過ぎ塗料が未処理気体流れへ供給されたフィルタ補助材と共に堆積するフィルタ要素と、吹き過ぎ塗料及びフィルタ補助材からなる物質を受け入れるための受入容器と、受入容器から吹き過ぎ塗料及びフィルタ補助材からなる物質の少なくとも一部を除去するための除去装置とを具備する。このために、フィルタ設備は、吹き過ぎ塗料及びフィルタ補助材からなる物質を回復するための回復装置を具備する。
2013544640.tif 000002
【特許請求の範囲】
【請求項１】
吹き過ぎ塗料が混入する未処理気体流れを浄化するためのフィルタ装置（１１４）を具備するフィルタ設備であって、前記フィルタ装置（１１４）が、
フィルタ要素（１２０）であって、吹き過ぎ塗料が混入する前記未処理気体流れからの吹き過ぎ塗料が、前記未処理気体流れに供給されたフィルタ補助材と共に堆積するようになっているフィルタ要素と、
吹き過ぎ塗料及びフィルタ補助材からなる物質を受け入れるための受入容器（１２４）と、
前記受入容器（１２４）から吹き過ぎ塗料及びフィルタ補助材からなる前記物質の少なくとも一部を除去するための除去装置（１２８）とを具備するフィルタ設備において、
前記フィルタ設備（１１２）が、吹き過ぎ塗料及びフィルタ補助材からなる前記物質を処理するための処理装置（１３４）を具備し、前記処理装置（１３４）は、熱処理装置（１４０）を具備し、前記熱処理装置によって、吹き過ぎ塗料及びフィルタ補助材からなる前記物質は、前記物質を処理するために、熱的に処理可能とされることを特徴とするフィルタ設備。
【請求項２】
前記受入容器（１２４）内で処理された吹き過ぎ塗料及びフィルタ補助材からなる前記物質の一部と、前記受入容器（１２４）から除去されて前記受入容器（１２４）の外側で処理された吹き過ぎ塗料及びフィルタ補助材からなる前記物質の一部との少なくとも一方が、前記未処理気体流れへフィルタ補助材として再び導入可能とされることを特徴とする請求項１に記載のフィルタ設備。
【請求項３】
前記処理装置（１３４）によって、吹き過ぎ塗料及びフィルタ補助材からなる前記物質は前記フィルタ装置（１１４）の外側で処理可能とされ、吹き過ぎ塗料及びフィルタ補助材からなる前記物質の少なくとも一部は、前記受入容器（１２４）から除去可能とされ、前記受入容器（１２４）の外側で処理可能とされることを特徴とする請求項１又は２のいずれかに記載のフィルタ設備。
【請求項４】
前記処理装置（１３４）は、機械式処理装置（１６０）及び気体式処理装置（１７０）の少なくとも一方を具備し、前記機械式処理装置及び前記気体式処理装置の少なくとも一方によって、吹き過ぎ塗料及びフィルタ補助材からなる前記物質は、前記物質を処理するために、機械的に処理可能とされるか、空気に載せられることを可能とするか、又は、機械的に処理可能とされて空気に載せられることを可能とすることを特徴とする請求項１から３のいずれか一項に記載のフィルタ設備。
【請求項５】
前記フィルタ設備（１１２）が、フィルタ補助材と、吹き過ぎ塗料及びフィルタ補助材からなる物質との少なくとも一方を受け入れて貯蔵するための貯蔵装置（１８０）を具備することを特徴とする請求項１から４のいずれか一項に記載のフィルタ設備。
【請求項６】
前記貯蔵装置は（１８０）は、処理された吹き過ぎ塗料及びフィルタ補助材からなる物質の中間貯蔵のための中間貯蔵装置（１８４）であり、前記処理された吹き過ぎ塗料及びフィルタ補助材からなる物質は、前記処理装置（１３４）から前記中間貯蔵装置（１８４）へ供給可能とされ、前記処理された吹き過ぎ塗料及びフィルタ補助材からなる物質は、前記フィルタ装置（１１４）のために、前記中間貯蔵装置（１８４）によって提供可能とされることを特徴とする請求項５に記載のフィルタ設備。
【請求項７】
前記貯蔵装置は（１８０）は、前記受入容器（１２４）から除去されて前記処理装置（１３４）へ供給される吹き過ぎ塗料及びフィルタ補助材からなる物質の中間貯蔵のための中間貯蔵装置（１８４）であり、吹き過ぎ塗料及びフィルタ補助材からなる前記物質は、前記受入容器（１２４）から前記中間貯蔵装置（１８４）へ供給可能とされ、吹き過ぎ塗料及びフィルタ補助材からなる前記物質は、前記処理装置（１３４）のために、前記中間貯蔵装置（１８４）によって提供可能とされることを特徴とする請求項５又は６のいずれかに記載のフィルタ設備。
【請求項８】
前記フィルタ設備（１１２）は、制御装置（１７５）及び調整装置（１７７）の少なくとも一方を具備し、前記制御装置及び前記調整装置の少なくとも一方によって、前記未処理気体流れを浄化するために前記フィルタ装置（１１４）へ提供されるフィルタ補助材が、未混入の新しいフィルタ補助材であるか、吹き過ぎ塗料及びフィルタ補助材からなる物質であるかを決定可能とされることを特徴とする請求項１から７のいずれか一項に記載のフィルタ設備。
【請求項９】
前記フィルタ設備（１１２）は、混合装置（１８６）を具備し、前記混合装置によって、未混入の新しいフィルタ補助材と、吹き過ぎ塗料及びフィルタ補助材からなる物質とが組み合わされて混合可能とされることを特徴とする請求項１から８のいずれか一項に記載のフィルタ設備。
【請求項１０】
フィルタ設備（１１２）、特に、請求項１から９のいずれか一項に記載のフィルタ設備（１１２）の作動方法であって、
フィルタ設備（１１２）のフィルタ装置（１１４）へ吹き過ぎ塗料が混入した未処理気体流れを供給することと、
前記未処理気体流れへフィルタ補助材を導入することと、
吹き過ぎ塗料及びフィルタ補助材からなる物質を分離して、前記物質を受入容器（１２４）内に受け入れることとを有するフィルタ設備の作動方法において、
吹き過ぎ塗料及びフィルタ補助材からなる前記物質の少なくとも一部は、処理装置（１３４）によって処理され、吹き過ぎ塗料及びフィルタ補助材からなる前記物質は、前記物質を処理するために、熱的に処理されることを特徴とするフィルタ設備の作動方法。
【請求項１１】
吹き過ぎ塗料及びフィルタ補助材からなる前記物質の一部は、受入容器（１２４）内で処理され、又は、前記受入容器（１２４）から除去されて前記受入容器（１２４）の外側で処理され、又は、受入容器（１２４）内で処理されると共に前記受入容器（１２４）から除去されて前記受入容器（１２４）の外側で処理され、前記未処理気体流れへフィルタ補助材として再び導入されることを特徴とする請求項１０に記載の作動方法。
【請求項１２】
吹き過ぎ塗料及びフィルタ補助材からなる前記物質の少なくとも一部は、前記受入容器（１２４）から除去され、前記受入容器（１２４）の外側で処理されることを特徴とする請求項１０又は１１のいずれかに記載の作動方法。
【請求項１３】
吹き過ぎ塗料及びフィルタ補助材からなる前記物質は、前記物質を処理するために、乾燥させられて熱せられて燃焼されることと、冷却されることと、熱分解処理を受けることの少なくとも一つが行われることを特徴とする請求項１０から１２のいずれか一項に記載の作動方法。
【請求項１４】
吹き過ぎ塗料及びフィルタ補助材からなる前記物質は、前記物質を処理するために、圧縮空気に載せられることを特徴とする請求項１０から１３のいずれか一項に記載の作動方法。
【請求項１５】
少なくとも一つの処理補助物質が、吹き過ぎ塗料及びフィルタ補助材からなる前記物質へ前記物質を処理するために供給されることを特徴とする請求項１０から１４のいずれか一項に記載の作動方法。
【請求項１６】
少なくとも二つの方法段階が、吹き過ぎ塗料及びフィルタ補助材からなる前記物質を処理するために実施されることを特徴とする請求項１０から１５のいずれか一項に記載の作動方法。
【発明の詳細な説明】
【技術分野】
【０００１】
本発明は、吹き過ぎ塗料が混入した未処理気体流れを浄化するためのフィルタ装置を具備するフィルタ設備に関し、フィルタ装置はフィルタ要素を具備し、フィルタ要素上には、未処理気体流れへ供給されたフィルタ補助材と共に、吹き過ぎ塗料が混入した未処理気体流れからの吹き過ぎ塗料が、堆積するようになっている。さらに、フィルタ装置は、吹き過ぎ塗料及びフィルタ補助材からなる物質を受け入れるための受入容器と、受入容器から吹き過ぎ塗料及びフィルタ補助材からなる物質の少なくとも一部を除去するための除去装置とを具備している。
【背景技術】
【０００２】
本質的に、この種のフィルタ設備においては、フィルタ装置の所定の作動期間後に、吹き過ぎ塗料及びフィルタ補助材からなる物質は受入容器から除去されて処分され、吹き過ぎ塗料が混入していない新しいフィルタ補助材がフィルタ設備のさらなる作動のためにこのフィルタ装置へ供給されるようにされるかもしれない。
【発明の概要】
【０００３】
本発明は、フィルタ補助材を節約する効果的な作動が実施されるようになっている冒頭に言及した種類のフィルタ設備を提供する目的に基づくものである。
【０００４】
この目的は、フィルタ設備が吹き過ぎ塗料及びフィルタ補助材からなる物質を処理するための処理装置を具備している本発明により達成される。
【０００５】
吹き過ぎ塗料及びフィルタ補助材からなる物質は、例えば、吹き過ぎ塗料粒子及びフィルタ補助材粒子の混合物であることができる。特に、吹き過ぎ塗料及びフィルタ補助材からなる物質は、吹き過ぎ塗料粒子、特に塗料小滴と、フィルタ補助材、特に岩粉粒子との集団及び／又は塊により形成される。
【０００６】
吹き過ぎ塗料及びフィルタ補助材からなる物質は、例えば、実質的に、排他的に、吹き過ぎ塗料粒子及びフィルタ補助材粒子の集団及び／又は塊からなるかもしれない。
【０００７】
さらに、吹き過ぎ塗料及びフィルタ補助材からなる物質は、処理されたフィルタ補助材、特に処理された吹き過ぎ塗料及びフィルタ補助材からなる物質によって形成されるかもしれない。
【０００８】
さらに、吹き過ぎ塗料及びフィルタ補助材からなる物質は、吹き過ぎ塗料が混入していない新しい（未使用の）フィルタ補助材、あるいは、吹き過ぎ塗料粒子及びフィルタ補助材粒子の集団及び／又は塊、あるいは、処理されたフィルタ補助材の少なくとも一つを含む混合物であるかもしれない。
【０００９】
本発明によるフィルタ設備が、吹き過ぎ塗料及びフィルタ補助材からなる物質を処理するための処理装置を具備するために、フィルタ装置において、好ましくは、フィルタ補助材のただ一度の使用後の吹き過ぎ塗料及びフィルタ補助材からなる物質の全処分はしなくて済む。むしろ、吹き過ぎ塗料及びフィルタ補助材からなる物質は、好ましくは、処理されたフィルタ補助材として、フィルタ装置へ再び供給されることができる。その結果として、フィルタ補助材を節約する効果的な方法でフィルタ設備を作動させることが可能となる。
【００１０】
吹き過ぎ塗料及びフィルタ補助材からなる物質は、特にフィルタ要素の浄化処理の後に、フィルタ補助材と、吹き過ぎ塗料及びフィルタ補助材からなる物質との少なくとも一方のために、好ましくはフィルタ要素の下側に配置された受入容器（フィルタ補助材受入容器とも呼ばれる）内に溜まる。
【００１１】
フィルタ設備は、好ましくは、一つ以上のフィルタ装置と一つ以上の処理装置との少なくとも一方を具備する。
【００１２】
フィルタ装置は、好ましくは、一つ以上のフィルタ要素と、一つ以上の受入容器と、一つ状の除去装置との少なくとも一つを具備する。
【００１３】
吹き過ぎ塗料の液体部分を吸収することができる任意の媒体が、特に、フィルタ補助材として使用されることができる。
【００１４】
特に、石灰、岩粉特に石灰岩粉、ケイ酸アルミニウム、酸化アルミニウム、酸化ケイ素、又は、粉末塗料などは、例えば、フィルタ補助材として、考えられることができる。
【００１５】
選択的に、又は、これに加えて、例えば、天然ゼオライト及び合成ゼオライトの少なくとも一方、又は、ポリマ、ガラス又はケイ酸アルミニウム、及び、天然又は合成繊維の少なくとも一つにより形成された他の中空な例えば球体のような空洞構造及び外部寸法に比較して大きな内部表面を有する粒子もまた、吹き過ぎ塗料を吸収し又は固めるか、又は、吸収して固めるためのフィルタ補助材として使用されることができる。
【００１６】
ゼオライトとして、特にアルミノケイ酸塩が選定され、これは、一般的な全体化学式
Ｍn+x/n[(ＡｌＯ2)x-(ＳｉＯ2)y]・ｚＨ2Ｏ（Ｍn+:金属陽イオン；x/n:陽イオン量及びアルミン酸陰イオン量に起因する化学量論的係数（＝係数）)を有している。例えば、カルシウムゼオライト、マグネシウムゼオライト、カルシウム・マグネシウムゼオライト、ナトリウムゼオライト、及び、カリウムゼオライトの少なくとも一つが使用可能である。好ましくは、これらのゼオライトの種類の二つ以上の混合物が使用される。
【００１７】
選択的に、又は、これに加えて、例えば、アミン、エポキシド、カルボキシル基、水酸基、又は、イソシアン酸塩群と化学的に反応する粒子、オクチルシラン、固体又は液体のモノマ、オリゴマ又はポリマ、シラン、シラノール又はシロキサンと化学的に反応する後処理された酸化アルミニウムから形成された粒子のような吹き過ぎ塗料と化学的に反応する粒子もまた、吹き過ぎ塗料を吸収し又は固めるか、又は、吸収して固めるためのフィルタ補助材として使用されても良い。
【００１８】
フィルタ補助材は、好ましくは、特に、約１０μｍから約１００μｍの範囲の平均直径を有する多数のフィルタ補助材粒子からなっている。
【００１９】
フィルタ補助材は、特に、プレコート材とも呼ばれる流動可能な粒子材である。
【００２０】
フィルタ補助材は、特に、吹き過ぎ塗料粒子の粘着に起因するフィルタ要素表面の目詰まりを防止するために、防御層として、フィルタ要素の表面に堆積されるように使用される。定期的にフィルタ要素を浄化することによって、フィルタ補助材及び吹き過ぎ塗料からなる物質はフィルタ要素から受入容器内へ達する。
【００２１】
本発明の一形態において、処理装置が熱処理装置を具備し、この熱処理装置によって吹き過ぎ塗料及びフィルタ補助材からなる物質がこの物質を処理するために熱的に処理可能とされるようにされる。
【００２２】
熱処理装置は、特に、加熱装置であっても良く、この加熱装置によって、吹き過ぎ塗料及びフィルタ補助材からなる物質は加熱されることができる。特に、吹き過ぎ塗料及びフィルタ補助材からなる物質の液体部分は加熱装置によって蒸発させられるようになっている。
【００２３】
熱処理装置は、さらに、燃焼装置として形成されても良い。燃焼装置によって、例えば溶剤のような特に容易に揮発する吹き過ぎ塗料及びフィルタ補助材からなる物質の特に有機成分は、燃焼させられることができ、それにより、吹き過ぎ塗料及びフィルタ補助材からなる物質から除去されることができる。特に、吹き過ぎ塗料及びフィルタ補助材からなる物質の酸化燃焼が行われることができる。
【００２４】
さらに、もし、熱処理装置が熱分解装置を具備し、この熱分解装置によって、吹き過ぎ塗料及びフィルタ補助材からなる物質が熱分解されるようになっているならば、有利であるかもしれない。
【００２５】
もし、処理装置が、好ましくは異なる機能を有する複数の熱処理装置を具備するならば、都合が良いかもしれない。特に、吹き過ぎ塗料及びフィルタ補助材からなる物質の液体成分が加熱装置として形成された熱処理装置によって蒸発させられるようにされても良い。次に、例えば、燃焼装置及び後燃焼装置のすくなくとも一方として形成された熱処理装置によって、液体部分の可燃性成分の燃焼が行われることができる。こうして、特に、吹き過ぎ塗料及びフィルタ補助材からなる物質から放出される溶剤は、燃焼されることができ、それにより、無害とされることができる。
【００２６】
もし、熱処理装置が冷却装置として形成されるならば、有利であるかもしれない。特に、吹き過ぎ塗料及びフィルタ補助材からなる物質は、この種の冷却装置によって、ガラス転移温度より低く冷却されることができ、それにより、吹き過ぎ塗料は、好ましくは、もろくなる。
【００２７】
さらに、熱処理装置は乾燥装置として形成されても良く、この乾燥装置によって、例えば、飽和しておらず水分を吸収可能な乾燥空気が、吹き過ぎ塗料及びフィルタ補助材からなる物質へこの物質を乾燥させるために供給されることができる。好ましくは、この空気は、例えば、少なくとも約４０℃、特に少なくとも約６０°の温度を有する高温空気である。
【００２８】
特に、このために、塗装された被加工物を乾燥させるための被加工物乾燥装置から到来する空気が使用可能である。
【００２９】
特に、回転炉(rotary furnace)、回転式乾燥機(tumble dryer)、螺旋乾燥機(screw dryer)、流動層乾燥機(fluidised bed dryer)、及び、流動乾燥機(flow dryer)の少なくとも一つが、燃焼装置、後燃焼装置、及び、加熱装置の少なくとも一つとして使用されて良い。
【００３０】
燃焼装置、後燃焼装置、及び、加熱装置の少なくとも一つへの吹き過ぎ塗料及びフィルタ補助材からなる物質の供給は、例えば、ねじ式移送装置及び振動通路の少なくとも一方によって行われても良い。
【００３１】
例えば、流動層乾燥機及び流動乾燥機が使用されるときには、吹き過ぎ塗料及びフィルタ補助材からなる物質の供給は、気体式移送によって、例えば、希薄相移送、濃厚相移送、及び、プラグ（ plug； Pfropfen ）移送のすくなくとも一つによって、行われることができる。
【００３２】
燃焼装置、後燃焼装置、及び、加熱装置の少なくとも一つは、好ましくは、電気及び気体の少なくとも一方によって作動させられる。
【００３３】
本発明の一形態において、処理装置が一つ以上の機械式処理装置を具備し、この機械式処理装置によって、吹き過ぎ塗料及びフィルタ補助材からなる物質がこの物質を処理するために機械的に処理可能であるようにされ、特に、これにより、吹き過ぎ塗料及びフィルタ補助材の塊が破壊されるようにされる。
【００３４】
特に、機械式処理装置がすりつぶし装置のように形成され、このすりつぶし装置によって、吹き過ぎ塗料及びフィルタ補助材からなる物質がすりつぶされることができるように、されても良い。
【００３５】
さらに、機械式処理装置は、好ましくは、吹き過ぎ塗料及びフィルタ補助材の塊を粉砕するための粉砕装置である。
【００３６】
もし、処理装置が気体式処理装置を具備し、この気体式処理装置によって、吹き過ぎ塗料及びフィルタ補助材からなる物質がこの物質を処理するために空気に載せられることができるならば、有利であるかもしれない。
【００３７】
気体式処理装置は圧縮空気装置であっても良く、この圧縮空気装置によって、吹き過ぎ塗料及びフィルタ補助材からなる物質は、この物質を処理するために圧縮空気に載せられることができる。
【００３８】
さらに、気体式処理装置は、旋回流装置であっても良く、この旋回流装置によって、吹き過ぎ塗料及びフィルタ補助材からなる物質は、旋回させられることができる。特に、そらせ板と共に、この種の旋回流装置によって、旋回する吹き過ぎ塗料及びフィルタ補助材の塊は、互いに及びそらせ板に衝突し、こうして、粉砕されることが実現可能である。
【００３９】
さらに、吹き過ぎ塗料及びフィルタ補助材からなる物質は、好ましくは、気体式処理装置によって乾燥させられることができる。特に、吹き過ぎ塗料及びフィルタ補助材からなる物質が旋回させられることにおいて、乾燥が行われ、又は、加速されるか、又は、乾燥が行われて加速される。
【００４０】
吹き過ぎ塗料及びフィルタ補助材からなる物質の機械的処理及び化学的処理の少なくとも一方は、好ましくは、処理装置によって実施されるようになっている。
【００４１】
フィルタ設備は、好ましくは、フィルタ補助材と、吹き過ぎ塗料及びフィルタ補助材からなる物質との少なくとも一方を受け入れて貯蔵するための貯蔵装置を具備している。
【００４２】
貯蔵装置は、例えば、サイロとして、特に、倉庫サイロ、貯蔵サイロ、及び、混合サイロの少なくとも一つとして形成されても良い。
【００４３】
フィルタ補助材と、吹き過ぎ塗料及びフィルタ補助材からなる物質との少なくとも一方の受け入れ及び貯蔵は、貯蔵装置によって、特に受入容器の外側において行われることができる。
【００４４】
本発明の一態様において、貯蔵装置は、処理された吹き過ぎ塗料及びフィルタ補助材からなる物質の中間貯蔵のための中間貯蔵装置であるようにされる。処理された吹き過ぎ塗料及びフィルタ補助材からなる物質は、好ましくは、中間貯蔵装置へ処理装置から供給可能とされる。さらに、処理された吹き過ぎ塗料及びフィルタ補助材からなる物質が中間貯蔵装置によって少なくとも一つのフィルタ装置のために提供可能であるようにされても良い。こうして、中間貯蔵装置の利点は、個々の受入容器が不規則に空になる弊害を低減することができ、それにより、例えば回転炉へのフィルタ補助材の連続供給が可能となることである。
【００４５】
もし、貯蔵装置が、受入容器から除去されて処理装置へ供給される吹き過ぎ塗料及びフィルタ補助材からなる物質の中間貯蔵のための中間貯蔵装置であるならば、有利であるかもしれない。ここでは、吹き過ぎ塗料及びフィルタ補助材からなる物質が受入容器から中間貯蔵装置へ供給可能とされるようにされても良い。さらに、吹き過ぎ塗料及びフィルタ補助材からなる物質が中間貯蔵装置によって処理装置のために提供されるようになることがされても良い。
【００４６】
処理装置へ供給される吹き過ぎ塗料及びフィルタ補助材からなる物質は、処理される吹き過ぎ塗料及びフィルタ補助材からなる物質とも呼ばれる。
【００４７】
本発明の一態様において、フィルタ設備が、制御装置及び調整装置の少なくとも一方を具備し、この装置によって、未処理気体流れを浄化するためのフィルタ装置へ提供されるフィルタ補助材が、未混入の新しいフィルタ補助材であるか、吹き過ぎ塗料及びフィルタ補助材からなる物質であるかが確定可能である。
【００４８】
特に、多数の処理作業が、制御装置及び調整装置の少なくとも一方によって検出されることができ、それにより、フィルタ補助材内の吹き過ぎ塗料の（過剰）濃厚化が確認可能となり、好ましくは回避可能となる。
【００４９】
吹き過ぎ塗料が混入したフィルタ補助材は、特に、少なくとも一つのフィルタ要素から汚れ落としされた吹き過ぎ塗料及びフィルタ補助材からなる物質である。
【００５０】
もし、フィルタ設備が混合装置を具備し、この混合装置によって、未混入の新しいフィルタ補助材と、吹き過ぎ塗料及びフィルタ補助材からなる物質とが組み合わされて混合されることができるならば、有利であるかもしれない。
【００５１】
特に、フィルタ設備が混合装置を具備し、この混合装置によって、未混入の新しいフィルタ補助材と、処理された吹き過ぎ塗料及びフィルタ補助材からなる物質とが組み合わされて混合されることができるようされても良い。
【００５２】
選択的に、又は、これに加えて、フィルタ設備が、少なくとも一つの混合装置を具備し、この混合装置によって、未混入の新しいフィルタ補助材と、未処理の吹き過ぎ塗料及びフィルタ補助材からなる物質とが組み合わされて混合されることができるようされても良い。
【００５３】
さらに、フィルタ設備、特に少なくとも一つのフィルタ装置が、少なくとも一つの混合装置（混合機構）を具備し、この混合装置によって、吹き過ぎ塗料及びフィルタ補助材からなる物質が混合可能とされ、それにより、吹き過ぎ塗料が混入したフィルタ補助材粒子と、未混入のフィルタ補助材粒子とが実質的に均一に分散配置される実質的な均一物質が得られることができるようにされても良い。
【００５４】
フィルタ設備は、好ましくは、混入程度、言い換えれば、例えば、吹き過ぎ塗料及びフィルタ補助材からなる物質の全容積及び全質量の少なくとも一方に関する吹き過ぎ塗料及びフィルタ補助材からなる物質における吹き過ぎ塗料の割合を測定するための測定装置を具備する。
【００５５】
特に、フィルタ補助材の吹き過ぎ塗料の混入程度に依存する未混入の新しいフィルタ補助材と吹き過ぎ塗料及びフィルタ補助材からなる物質とを混合するための混合比は、好ましくは、制御装置及び調整装置の少なくとも一方によって、制御又は調整され、又は、制御して調整されるようになっている。
【００５６】
本発明によるフィルタ設備は、被加工物、特に車体を塗装するための塗装設備における使用に特に適している。
【００５７】
塗装設備は、好ましくは、吹き過ぎ粒子（吹き過ぎ塗料）を含む未処理気体流れから吹き過ぎ塗料を分離するための少なくとも一つのフィルタ装置を具備し、この少なくとも一つのフィルタ装置は、特に、以下の
フィルタ装置の未処理気体室を区画してフィルタ装置の少なくとも一つのフィルタ要素が配置されるハウジングと、
フィルタ装置の未処理気体室内へ未処理気体流れを流入させるための少なくとも一つの入口通路と、
未処理気体流れへフィルタ補助材又は吹き過ぎ塗料及びフィルタ補助材からなる物質（混合物）を導入するための（フィルタ補助材）導入機構との少なくとも一つを具備している。
【００５８】
塗装設備は、好ましくは、吹き過ぎ塗料の湿式分離のための装置を有していない。
【００５９】
（フィルタ補助材）導入機構は、好ましくは、少なくとも一つの処理機構（処理装置）、特に少なくとも一つの処理装置と、少なくとも一つの受入容器との少なくとも一方を具備している。
【００６０】
さらに、塗装設備は、好ましくは、
被加工物が塗料により塗装されることができる塗装室と、
塗装される被加工物が塗装室を通り（被加工物）移送方向に移送されるように形成される（被加工物）移送装置と、
塗装室から流出して塗装室内の吹き過ぎ塗料を吸収する未処理気体流れを浄化するための分離及びフィルタの少なくとも一方のための設備（簡便のために「フィルタ設備」と呼ばれる）であって、未処理気体流れから吹き過ぎ塗料を分離するための少なくとも一つのフィルタ装置を具備するフィルタ設備と、
少なくとも一つのフィルタ装置によって未処理気体流れを浄化することにより得られる浄化気体流れのための少なくとも一つの浄化気体通路との少なくとも一つを具備している。
【００６１】
少なくとも一つのフィルタ装置は、好ましくは、再生可能なフィルタ装置として形成される。
【００６２】
再生可能なフィルタ装置は、塗装室を通り導かれる気体流れから混入物を分離するための、特に、吹き過ぎ粒子を含む気体流れから吹き過ぎ塗料を分離するための分離装置であって、堆積した混入物がフィルタ装置のフィルタ要素を交換する必要なしに汚れ落としされることができる分離装置を意味すると理解される。
【００６３】
再生可能なフィルタ装置（フィルタ構造）として、特に、気体流れの浄化が実質的にフィルタ要素への液体の追加なしに行われる一つ以上の乾式フィルタ要素及び一つ以上の乾式分離装置の少なくとも一方を有するフィルタ装置も提供される。これに関係なく、引き続き、次の又は従来の浄化段階が、液体溶剤又は冷却剤を（通常状態において）使用するように提供されることができる。
【００６４】
液体の追加なしに行われる乾式フィルタ要素及び乾式分離装置の少なくとも一方の浄化機能に関係なく、液体、特に洗浄液体が、少なくとも一つの乾式フィルタ要素及び少なくとも一つの乾式分離装置の少なくとも一方を洗浄するために、特に、吹き過ぎ塗料及びフィルタ補助材の濾された塊を除去するために、少なくとも一つの乾式フィルタ要素及び少なくとも一つの乾式分離装置の少なくとも一方に供給されるようにされても良い。少なくとも一つの乾式フィルタ要素及び少なくとも一つの乾式分離装置の少なくとも一方の洗浄は、こうして湿式に行われることができ、一方、分離作業及びフィルタ作業は、好ましくは、乾式で行われる。
【００６５】
再生可能なフィルタ装置において、フィルタ装置が少なくとも一つのフィルタ要素を具備し、このフィルタ要素には、フィルタ補助材、特に、岩粉、好ましくは石灰岩粉と、天然ゼオライトと、人造ゼオライトとの少なくとも一つを具備する防御層及び保護層の少なくとも一方がフィルタ作業中に設けられるようにされても良い。
【００６６】
こうして、フィルタ要素は、フィルタ装置のフィルタ作業中において、フィルタ装置へ供給される気体流れからの混入物により目詰まりすることが防止されることができる。フィルタ装置のフィルタ要素から防御層又は保護層を浄化することによって、フィルタ要素の特に簡単な再生が行われることができ、次いで、フィルタ要素は、新しい防御層又は新しい保護層を提供することによって再生利用されることができる。
【００６７】
特に、粉末塗料又は流体塗料が、塗料とされることができる。
【００６８】
流体からのり状（例えば、ポリ塩化ビニルプラスチゾルの場合において）までの流動濃度を有する塗料が、ここでは、用語「粉末塗料」に対比して、用語「流体塗料」と呼ばれる。用語「流体塗料」は、特に、用語「液体塗料」と「湿式塗料」とを包含している。
【００６９】
それにより、流体塗料を使用するときには、塗装室からの吹き過ぎ塗料は、吹き過ぎ流体塗料であり、湿式塗料が使用されるときには、塗装室からの吹き過ぎ塗料は、吹き過ぎ湿式塗料である。
【００７０】
さらに、フィルタ設備は、吹き過ぎ塗料及びフィルタ補助材からなる物質の粗い成分から吹き過ぎ塗料及びフィルタ補助材からなる物質の細かな成分を分離するために、少なくとも一つの空気分粒装置、例えば、カスケード装置及びＺＺ分粒装置（ジグザグふるい装置）の少なくとも一方を具備している。特に、吹き過ぎ塗料が混入していないフィルタ補助材粒子（より小さな粒子）は、この種の空気分粒装置によって、吹き過ぎ塗料及びフィルタ補助材の塊（より大きな粒子）から分離されることができる。
【００７１】
空気分粒装置は、好ましくは、特に、少なくとも部分的に処理された吹き過ぎ塗料及びフィルタ補助材からなる物質において、細かな成分から粗い成分を分離するのに使用される。
【００７２】
さらに、空気分粒装置がフードふるい装置として形成され、このフードふるい装置によって、未混入のフィルタ補助材粒子が吹き過ぎ塗料及びフィルタ補助材の塊から分離されることができるようにされても良い。
【００７３】
さらに、本発明は、フィルタ設備、特に、本発明によるフィルタ設備の作動方法に関し、この作動方法は、以下の
フィルタ設備のフィルタ装置へ吹き過ぎ塗料が混入した未処理気体流れを供給することと、
未処理気体流れへフィルタ補助材を導入することと、
吹き過ぎ塗料及びフィルタ補助材からなる物質を分離して、この物質を受入容器内に受け入れることとを有している。
【００７４】
本発明は、フィルタ補助材の低消費により効率的に実施されるように形成されたフィルタ設備の作動方法を提供する目的を考慮することに基づいている。
【００７５】
この目的は、吹き過ぎ塗料及びフィルタ補助材からなる物質の少なくとも一部が処理装置によって処理される本発明により達成される。
【００７６】
本発明による方法は、好ましくは、本発明によるフィルタ設備に関する上述の特徴及び利点の少なくとも一方を有している。
【００７７】
本発明による一態様において、吹き過ぎ塗料及びフィルタ補助材からなる物質が、この物質を処理するために熱的に処理されるようにされる。
【００７８】
特に、吹き過ぎ塗料及びフィルタ補助材からなる物質が、この物質を処理するために、乾燥させられること、熱せられること、燃焼されること、冷却されること、及び、熱分解方法を受けさせられることの少なくとも一つが行われるようにされても良い。
【００７９】
例えば、吹き過ぎ塗料及びフィルタ補助材からなる物質は、例えば電気加熱装置との直接接触、バーナー火炎、及び、高温バーナー排気の少なくとも一つによって加熱される。吹き過ぎ塗料及びフィルタ補助材からなる物質は、好ましくは、間接的に加熱され、特に、仕切板及び熱交換器の少なくとも一方が、一方で吹き過ぎ塗料及びフィルタ補助材からなる物質と、他方で加熱装置、加熱媒体、バーナー火炎、及び、高温バーナー排気の少なくとも一つとの間に設けられる。
【００８０】
もし、吹き過ぎ塗料及びフィルタ補助材からなる物質が、この物質を処理するためにこの物質に供給される圧縮空気を有するならば、都合が良いかもしれない。こうして、一方で、吹き過ぎ塗料及びフィルタ補助材からなる物質の乾燥が実現されることができる。さらに、こうして、吹き過ぎ塗料及びフィルタ補助材からなる物質が旋回させられることができる。特に、吹き過ぎ塗料及びフィルタ補助材からなる物質が、圧縮空気装置によって、衝突板へ向けて加速させられると、塊の旋回及び同時の粉砕が実現されることができる。
【００８１】
もし、少なくとも一つの気体式処理装置を備える受入容器が設けられるならば、都合が良いかもしれない。特に、気体式処理装置が、少なくとも一つの空気ノズル、例えばラバルノズルを具備し、このノズルによって、加圧（１０１３ミリバールの常圧より高く）された、例えば約０．１バールと約７バールとの間だけ加圧された、好ましくは、約２バール加圧された空気が、吹き過ぎ塗料及びフィルタ補助材からなる物質へ導入されることができるようにされても良い。
【００８２】
吹き過ぎ塗料及びフィルタ補助材からなる物質は、好ましくは、圧縮空気によって旋回させられ、互いへ、受入容器の壁へ、及び、そらせ板への少なくとも一つへの塊の衝突のために粉砕される。
【００８３】
気体式処理装置は、空気圧縮機を具備しても良い。選択的に、又は、これに加えて、気体式処理装置は、圧縮空気により作動させられても良い。
【００８４】
特に、気体式処理装置のための空気は、塗装設備の新気供給装置、特に塗装設備の塗装処理のための新気供給装置から分岐する新気と、特に好ましくは圧縮される濾過循環空気又は作業場空気との少なくとも一方である。
【００８５】
選択的に、又は、これに加えて、特に、塗装設備からの浄化排出空気が気体式処理装置のために使用されるようにされても良い。
【００８６】
気体式処理装置は、さらに、例えば、受入容器内に配置された流動層を具備する。流動層は、好ましくは、一つ以上のノズルを具備し、このノズルによって、吹き過ぎ塗料及びフィルタ補助材の塊の破壊をもたらすために、フィルタ補助材粒子又は吹き過ぎ塗料及びフィルタ補助材からなる物質の塊が、互いに及び衝突板の少なくとも一方に対して加速されるようになっている。
【００８７】
少なくとも一つの気体式処理装置の少なくとも一つのノズルは、好ましくは、ノズルによって生成される空気噴流が吹き過ぎ塗料及びフィルタ補助材からなる物質へ実質的に水平に向けられるように配置される。選択的に、又は、これに加えて、少なくとも一つの気体式処理装置の少なくとも一つのノズルは、少なくとも一つの空気噴流が吹き過ぎ塗料及びフィルタ補助材からなる物質へ垂直に又は（斜めの）ある角度に向けられるように、配置されて提供されても良い。特に、空気噴流が、吹き過ぎ塗料及びフィルタ補助材からなる物質を、底部から上部へ垂直に、上部から底部へ垂直に、又は、斜めに流れるようにされても良い。
【００８８】
もし、気体式粉砕処理（すりつぶし処理）を延長するために、吹き過ぎ塗料及びフィルタ補助材からなる物質が、少なくとも一つの流れ障害物によって、この物質が未処理気体流れへ及び最終的にはフィルタ要素へ供給される以前に、受入容器内に保持されることができるならば、都合が良いかもしれない。
【００８９】
さらに、少なくとも一つの気体式処理装置が少なくとも一つのノズルを具備するようにされても良く、このノズルは、空気噴流が、混合機構及び（もう一つの）機械式処理装置の少なくとも一方の一部へ垂直に又は（斜めの）ある角度に向けられるように配置され、それにより、混合機構及び機械式処理装置の少なくとも一方が、吹き過ぎ塗料及びフィルタ補助材の塊のための一つ以上の衝突板を形成する。
【００９０】
特に、混合装置及び（他の）機械式処理装置の少なくとも一方は、吹き過ぎ塗料及びフィルタ補助材からなる物質を少なくとも一つのノズルによって生成される空気流れへ導入することを可能とするために、吹き過ぎ塗料及びフィルタ補助材からなる物質が少なくとも一つの気体式処理装置の少なくとも一つのノズルの方向に移送されるように形成される。
【００９１】
吹き過ぎ塗料及びフィルタ補助材の塊を破壊する処理、例えば、機械式又は気体式すりつぶし処理は、好ましくは、連続的に又は律動的に行われることができる。
【００９２】
本発明の一態様において、少なくとも一つの処理補助材が吹き過ぎ塗料及びフィルタ補助材からなる物質を処理するために吹き過ぎ塗料及びフィルタ補助材からなる物質へ供給されるようにされる。
【００９３】
特に、少なくとも一つの乾燥剤、例えば、シリカゲル又はゼオライトと、少なくとも一つの塊にさせ難くする物質、例えば、砂又は石灰岩粉との少なくとも一方が、吹き過ぎ塗料及びフィルタ補助材からなる物質を処理するために吹き過ぎ塗料及びフィルタ補助材からなる物質へ供給されることができる。特に、塊にさせ難くする物質として石灰岩粉を使用するときには、塊にさせ難くする物質として使用された石灰岩粉の平均粒寸法が、例えば、これもまた石灰岩粉から形成されるフィルタ補助材の平均粒寸法より大きく選択されるようにされても良い。
【００９４】
もし、少なくとも二つの方法段階、特に、互いに異なる少なくとも二つの方法段階が、吹き過ぎ塗料及びフィルタ補助材からなる物質を処理するために実施されるならば、有利であるかもしれない。
【００９５】
もし、少なくとも二つの方法段階が、吹き過ぎ塗料及びフィルタ補助材からなる物質を処理するためにちょうど良いときに連続して実施されるならば、都合が良いかもしれない。
【００９６】
選択的に、又は、これに加えて、少なくとも二つの方法段階が、吹き過ぎ塗料及びフィルタ補助材からなる物質を処理するためにちょうど良いときに、実質的に同時に重複して実施されるようにされても良い。
【００９７】
吹き過ぎ塗料及びフィルタ補助材からなる物質の少なくとも一部は、好ましくは、受入容器から除去され、受入容器の外側で処理される。
【００９８】
特に、吹き過ぎ塗料及びフィルタ補助材からなる物質の除去されて処理された一部は、フィルタ装置へフィルタ補助材として再び供給され、特に、未処理気体流れへ再び導入される。
【００９９】
選択的に、又は、これに加えて、吹き過ぎ塗料及びフィルタ補助材からなる物質の少なくとも一部が、受入容器において処理されるようにされても良い。次いで、吹き過ぎ塗料及びフィルタ補助材からなる物質の除去されて新しく交換される供給は、好ましくは、されなくて済み、又は、少なくとも遅らせられることができる。
【０１００】
本質的に、吹き過ぎ塗料及びフィルタ補助材からなる物質の少なくとも一部が、受入容器から除去された後、処理装置によって処理された後、及び、少なくとも一つのフィルタ装置へ供給される前の少なくとも一つにおいて、貯蔵装置によって、特に中間貯蔵装置によって、貯蔵、特に、中間的に貯蔵されるようにされても良い。多量のフィルタ補助材、特に、処理されたフィルタ補助材は、こうして、常に利用可能とされる。
【０１０１】
選択的に、又は、これに加えて、例えば、フィルタ装置の浄化作業中において、フィルタ作業がフィルタ装置において実施されない間は、吹き過ぎ塗料及びフィルタ補助材からなる物質の少なくとも一部が、受入容器から除去され、処理されて再び受入容器へ供給されるようにされても良い。次いで、好ましくは、吹き過ぎ塗料及びフィルタ補助材からなる物質の外部貯蔵はしなくて済む。
【０１０２】
受入容器内の吹き過ぎ塗料及びフィルタ補助材からなる物質の交換は、好ましくは、フィルタ設備の通常作業中に行われる。
【０１０３】
特に、もし、吹き過ぎ塗料及びフィルタ補助材からなる物質の少なくとも一部が貯蔵容器から除去され、例えば、約２分から約３分の時間内で処理装置へ供給されるならば、中間貯蔵装置は、ここでは、なしで済ませることができる。この時間内において、さらに、処理が好ましく実施され、処理された吹き過ぎ塗料及びフィルタ補助材からなる物質が直ぐに同じ受入容器へ再び供給される。この場合において、塗装は、好ましくは障害なく、塗装設備において続けられることができ、この短い時間は、フィルタ補助材なしに、又は、少量だけのフィルタ補助材により、塗装処理自身を実行し続けることができる。特に、この短い期間内は、吹き過ぎ塗料が混入した未処理気体流れの浄化は、フィルタ要素が、フィルタ要素の浄化にもかかわらずに、好ましくは、依然として常にフィルタ補助材の薄い層を有しているために、依然として、フィルタ要素において行われることができる。
【０１０４】
フィルタ設備を作動するための本発明による方法は、特に、塗装設備の作動方法において実施するのに適している。
【０１０５】
塗装設備の作動方法は、好ましくは、以下の
（被加工物）移送装置によって塗装室を通る（被加工物）移送方向に被加工物を移送し、塗装室において被加工物を塗装する方法段階と、
塗装室において吹き過ぎ塗料を吸収した塗装設備の塗装室からの未処理気体流れをフィルタ設備、特に本発明によるフィルタ設備へ供給する方法段階と、
フィルタ設備の少なくとも一つのフィルタ装置によって吹き過ぎ粒子が混入した未処理気体流れから吹き過ぎ塗料を分離し、それにより、浄化気体流れが得られる方法段階であって、少なくとも一つの（フィルタ補助材）導入機構によって、特に、フィルタ補助材と、フィルタ補助材及び吹き過ぎ粒子（吹き過ぎ塗料）からなる物質との少なくとも一方の機械式処理にための処理装置によって、フィルタ補助材と、吹き過ぎ塗料及びフィルタ補助材からなる物質との少なくとも一方がばらばらにされる方法段階とを有している。
【０１０６】
塗装設備の作動方法は、好ましくは、フィルタ設備、塗装設備、及び、フィルタ設備の作動方法の少なくとも一つに関して上述された特徴及び利点の少なくとも一方を有している。
【０１０７】
さらに、フィルタ設備、塗装設備、フィルタ設備の作動方法、及び、塗装設備の作動方法の少なくとも一つは、以下に説明される特徴及び利点の少なくとも一方を有しているかもしれない。
【０１０８】
吹き過ぎ塗料及びフィルタ補助材からなる物質は、好ましくは、フィルタ装置を空にするときに最終用途のために貯蔵装置（サイロ）に貯蔵されないが、適当な処理装置、特に、すりつぶし装置（ミル）によって、未混入の新しいフィルタ補助材の平均粒寸法に少なくともほぼ対応する平均粒寸法へ再びすりつぶされる。
【０１０９】
好ましくは、少なくとも二つの貯蔵装置（サイロ）が設けられ、これらの貯蔵装置の間に、（吹き過ぎ塗料及びフィルタ補助材からなる物質の移送方向に関して）少なくとも一つの処理装置が配置される。最大時の間のフィルタ補助材の高い要求は、少なくとも一つの貯蔵装置によって緩和されることができる。さらに、その結果として、比較的長い処理時間、例えば、すりつぶし時間は補われ、それにより、吹き過ぎ塗料及びフィルタ補助材からなる物質の少なくとも一部を受入容器から除去してフィルタ装置へ新しい又は処理されたフィルタ補助材を取り換え供給するまでの全時間は、実質的に、一定であり、又は、少なくとも予め定められた期間が超えられることはない。
【０１１０】
フィルタ設備は、好ましくは、少なくとも一つの（フィルタ補助材）移送機構を具備し、この移送機構によって、フィルタ補助材と、吹き過ぎ塗料及びフィルタ補助材からなる物質との少なくとも一方が、フィルタ設備の個々の構成要素の間を移送されるようになっている。特に、移送装置によって、フィルタ補助材と、吹き過ぎ塗料及びフィルタ補助材からなる物質との少なくとも一方は、少なくとも一つの貯蔵装置から少なくとも一つのフィルタ装置へ、少なくとも一つのフィルタ装置から処理装置へ、及び、その逆の少なくとも一つへ移送されるようになっている。
【０１１１】
好ましくは、新しいフィルタ補助材がフィルタ装置へ供給されたか、又は、既に使用されて一度又は繰り返し処理されたフィルタ補助材がフィルタ装置へ供給されたかは、制御装置及び調整装置の少なくとも一方によって監視されることができる。特に、電子的フラグは、この目的のために使用可能である。
【０１１２】
特に、吹き過ぎ塗料及びフィルタ補助材からなる物質の繰り返しの使用中において、有機成分、特に溶剤の割合が吹き過ぎ塗料及びフィルタ補助材からなる物質において高められる危険が存在する。その結果として、吹き過ぎ塗料及びフィルタ補助材からなる物質は、引火性が高くなり、又は、（粉塵）爆発するようになる。それにより、処理作業数及び少なくとも一つのフィルタ装置への戻しの少なくとも一方は、好ましくは、監視され、それゆえ、危険物質の予め定められた限界濃度が超えられることはない。
【０１１３】
吹き過ぎ塗料及びフィルタ補助材からなる物質における引火性又は爆発性成分の濃縮の危険は、特に、吹き過ぎ塗料及びフィルタ補助材からなる物質の処理が熱処理装置によって行われることにおいて低減される。
【０１１４】
熱処理における選択された温度範囲に依存して、吹き過ぎ塗料及びフィルタ補助材からなる物質の異なる処理を行うことができる。こうして、例えば、溶剤は、最高約１００℃の温度で、吹き過ぎ塗料及びフィルタ補助材からなる物質から簡単に蒸発させられることができる。これは、特に、機械式処理装置、例えばすりつぶし装置において行われ、すりつぶし装置においては、すりつぶし装置全体が加熱されるか、加熱空気がすりつぶし装置へ供給されるか、又は、つぶし装置全体が加熱されて加熱空気がすりつぶし装置へ供給される。特に、すりつぶし装置の加熱が、吹き過ぎ塗料及びフィルタ補助材からなる物質の処理中におけるすりつぶし装置内の摩擦によって行われるようにされても良く、それにより、吹き過ぎ塗料及びフィルタ補助材からなる物質を溶剤を蒸発させるのに必要な温度へ加熱するために、さらなる熱供給は必要ない。所望温度を実現するために、相応のつりつぶし時間は調整されることができる。さらに、すりつぶし程度は、すりつぶし時間を調整することによって調整されることができ、比較的長いすりつぶし時間は、比較的小さな粒寸法（すりつぶし工具の構造に関する下限まで）をもたらす。
【０１１５】
吹き過ぎ塗料及びフィルタ補助材からなる物質の塗料成分は、好ましくは、約１００℃と約１８０℃との間の温度範囲において硬化することができる。好ましくは、この目的のために供給される空気は、特に、フィルタ設備又は塗装設備の他の装置部から到来しても良い。こうして、例えば、塗装された被加工物のための乾燥装置（被加工物乾燥装置）からの排出空気が使用されても良い。塗装成分を硬化させるために必要な温度への吹き過ぎ塗料及びフィルタ補助材からなる物質の加熱は、好ましくは、機械式処理装置による機械式処理以前、特に、すりつぶし装置によるすりつぶし以前の中間段階において行われる。
【０１１６】
約４００℃より高い温度範囲において、吹き過ぎ塗料及びフィルタ補助材からなる物質の熱処理が行われ、この熱処理において、吹き過ぎ塗料及びフィルタ補助材からなる物質内の有機成分が燃焼される。特に、吹き過ぎ塗料及びフィルタ補助材からなる物質が供給可能とされる回転炉等は、このために提供されることができる。
【０１１７】
選択的に、又は、これに加えて、吹き過ぎ塗料及びフィルタ補助材からなる物質が、冷却装置として形成された熱処理装置によって冷却されるようにされても良い。特に、（その前に加熱された）吹き過ぎ塗料及びフィルタ補助材からなる物質のすりつぶし装置の作業にために必要な（最適）温度への冷却は、この種の冷却装置によって行われることができる。
【０１１８】
本発明の一態様において、機械式処理装置が、吹き過ぎ塗料及びフィルタ補助材からなる物質を燃焼装置へ供給するための供給装置として形成されるようにされ、それにより、機械式処理、例えば、すりつぶし処理は、吹き過ぎ塗料及びフィルタ補助材からなる物質の燃焼装置への供給中に実施されるようになっている。
【０１１９】
もし、回転炉を作動するために必要な空気が、塗装された被加工物を乾燥させるための乾燥装置（被加工物乾燥装置）の排出空気であって、回転炉を作動するのに必要な温度に達するように加熱される排出空気であるならば、都合が良いかもしれない。回転炉からの排出空気は、好ましくは、塗装設備の高温の後燃焼装置への（一部の）空気流れとして燃焼生成物と共に供給される。
【０１２０】
塗料が処理可能なフィルタ補助材へ混入している間の回転炉の排出空気は、好ましくは、高温の後燃焼のために必要とされるより高温ではない。しかしながら、一方で、一部の空気流れは、高温の後燃焼への供給空気流れより高温であり、それにより、こうして燃料が節約されることができる。他方で、燃料節約は、ある限度内で回転炉が自己熱交換的に作動させられることができることにおいて実現され、それにより、燃焼エネルギが放出されるために、次の加熱は、回転炉を所望温度へ加熱するのにそれほど強力である必要はない。
【０１２１】
フィルタ補助材に含まれる炭酸カルシウム（ＣａＣＯ3）の酸化カルシウム（ＣａＯ）への転化が起きないように、さらに冷却することは有利であるかもしれない。
【０１２２】
選択的に、又は、これに加えて、乾燥装置の排出空気の一部の空気流れが高温の後燃焼を通過した後に回転炉を加熱するのに使用されるようにされても良い。次に、回転炉の排出空気は、好ましくは、高温の後燃焼へ戻る一部の空気流れとして供給される。
【０１２３】
回転炉として形成された燃焼装置は、例えば、対向流原理に従って作動させられても良い。この目的のために、好ましくは、熱処理された吹き過ぎ塗料及びフィルタ補助材からなる物質、特に、処理された岩粉が、回転炉の内部から除去される側において、高温処理空気が回転炉の内部へ導入される。従って、処理される吹き過ぎ塗料及びフィルタ補助材からなる物質は、回転炉のこの側と反対側において回転炉の内部へ導入される。この種の回転炉は、回転炉の内部への導入中において、吹き過ぎ塗料及びフィルタ補助材からなる物質が、高温処理気体、言い換えれば、回転炉内で加熱された処理気体と直接的に接触するようになる利点を提供する。その結果として、回転炉は、好ましくは、より短くされることができる。
【０１２４】
選択的に、又は、これに加えて、燃焼装置が並流原理に従って作動させられる回転炉として形成されるようにされても良い。処理空気と、吹き過ぎ塗料及びフィルタ補助材からなる物質とは、ここでは、回転炉の内部へ同じ側から導入される。回転炉は、ここでは、より長い長さを有していても良い。生成凝縮物は、高温処理気体内により長く保持されるかもしれず、それゆえ、これらの凝縮物がさらに燃焼させられる可能性が増大される。これにより、生成タール状残留物の量は、好ましく低減されることができる。
【０１２５】
もし、回転炉が、少なくとも一つの加熱領域、好ましくは二つ以上の加熱領域、特に四つの加熱領域を具備するならば、有利であるかもしれない。好ましくは、異なる温度が異なる加熱領域において広がる。こうして、例えば、先ず第一に揮発性成分を放出させるために、最初の加熱領域における温度は、それに続くさらなる加熱領域より低く維持されるようにされても良い。
【０１２６】
これらの揮発性成分は、好ましくは、二酸化炭素を形成するように容易に完全に燃焼する。
【０１２７】
吹き過ぎ塗料及びフィルタ補助材からなる物質、特に、処理された吹き過ぎ塗料及びフィルタ補助材からなる物質、例えば、処理された岩粉が、回転炉の端部において回転炉から除去されるようにされても良い。
【０１２８】
しかしながら、もし、吹き過ぎ塗料及びフィルタ補助材からなる物質、特に、処理された吹き過ぎ塗料及びフィルタ補助材からなる物質、例えば、処理された岩粉が、二つの加熱領域の間において回転炉から除去、特に、放出されるならば、有利であるかもしれない。この目的にために、例えば、除去装置が設けられても良い。
【０１２９】
処理気体は、好ましくは、回転炉内に残留し、さらなる加熱領域において、可能な限り完全に燃焼されることができる。これにより、蒸発された、又は、部分的に燃焼された、又は、蒸発して部分的に燃焼された有機成分の最終燃焼への導管の加熱は、好ましくは、避けられることができる。
【０１３０】
回転炉からの吹き過ぎ塗料及びフィルタ補助材からなる物質の放出によって、処理排気と処理された吹き過ぎ塗料及びフィルタ補助材からなる物質との間の分離は、最適化されることができる。
【０１３１】
吹き過ぎ塗料及びフィルタ補助材からなる物質の移送方向に関して、処理された吹き過ぎ塗料及びフィルタ補助材からなる物質を放出するための除去装置の下流側に配置された少なくとも一つの加熱領域が、除去装置より前側に配置された少なくとも一つの加熱領域より高い温度を有するようにされても良い。その結果として、より高い温度が、フィルタ補助材自身が化学的に変化させられることが懸念される必要なく、回転炉の所望部分に設定されることができる。例えば、回転炉内の温度は、所望部分において約７００℃へ高められても良い。次に、好ましくは、さらなる高温の後燃焼はしなくて済む。
【０１３２】
回転炉内の温度は、好ましくは、フィルタ補助材が熱により正常に機能しなくなるようにされないが、吹き過ぎ塗料及びフィルタ補助材からなる物質の有機成分が好ましく完全に燃焼させられるように、選択される。従って、使用されるフィルタ補助材、例えば、炭酸カルシウム（ＣａＣＯ3）、ゼオライト、又は、酸化アルミニウム（Ａｌ2Ｏ3）に依存して、回転炉の内部の温度は適合される。
【０１３３】
吹き過ぎ塗料及びフィルタ補助材からなる物質内の塗料部分は、好ましくは、吹き過ぎ塗料のガラス転移温度より低い温度への冷却がもたらされ、それゆえ、塗料部分は、もろくなり、より容易にすりつぶされることができる。吹き過ぎ塗料及びフィルタ補助材からなる物質の冷却は、この目的にために、好ましくは、機械式処理装置、特に、すりつぶし装置への吹き過ぎ塗料及びフィルタ補助材からなる物質の導入以前に行われても良い。選択的に、又は、これに加えて、吹き過ぎ塗料及びフィルタ補助材からなる物質が、塗料のガラス転移温度より低い温度へ、機械式処理装置、特に、すりつぶし装置において冷却されるようにされても良い。
【０１３４】
もし、吹き過ぎ塗料及びフィルタ補助材からなる物質が熱分解方法を受けるならば、都合が良いかもしれない。これにより、吹き過ぎ塗料及びフィルタ補助材からなる物質の結合剤部分が、除去され、又は、転化され、又は、除去されて転化されることができ、それにより、純粋なフィルタ補助材が、好ましくは、残留し、このフィルタ補助材は、次に、好ましくは、最初の平均粒寸法とされる。
【０１３５】
本発明の一態様において、複数のすりつぶし段階が連続して実施されるようにされても良い。こうして、例えば、所定量のフィルタ補助材が最初にフィルタ装置へ供給され、そこで吹き過ぎ塗料が混入し、次いで、処理、特にすりつぶされ、次いで、フィルタ装置へ再び供給され、そこでさらなる吹き過ぎ塗料が混入し、最終的に再びすりつぶされるなどのようにされても良い。フィルタ補助材は、好ましくは、予め定められた塗料割合（塗料含有量）及びエネルギ含量の少なくとも一方を有するまで使用される。次の段階において、好ましくは、熱分解処理が実施される。これにより、熱分解処理は、追加供給される少量のエネルギによって実施されても良い。これにより、少なくとも一つのフィルタ装置において使用される熱分解されるフィルタ補助材の量は、好ましくは、減少される。選択的に、熱分解処理の実施後に、さらなる機械式処理作業、例えば、すりつぶし処理が、すりつぶし装置によってさらに実施されることができる。
【０１３６】
排出空気は、好ましくは、排出空気浄化装置の熱処理装置からフィルタ設備又は塗装設備へ供給される。
【０１３７】
特に、フィルタ装置内に存在するフィルタ補助材が、攪拌装置又は櫂式混合装置によって受入容器内でばらばらにされるときに、フィルタ補助材をすりつぶすための要素が、攪拌装置又は櫂式混合装置に一体化されるようにされても良い。こうして、例えば、すりつぶし円盤は、攪拌装置又は櫂式混合装置の軸に、又は、軸と一体化された球状ミルに取り付けられることができる。さらに、攪拌装置又は櫂式混合装置の軸の少なくとも一部がピン状ミルとして形成されるようにされても良い。
【０１３８】
未混入のフィルタ補助材と、吹き過ぎ塗料が混入したフィルタ補助材とは、好ましくは、貯蔵装置（サイロ、特に、混合装置を具備する、例えば、混合工具が設けられた混合サイロ）において混合されるか、又は、例えば、ある（予め定められた）比での未混入のフィルタ補助材と混入したフィルタ補助材との混合を制御又は調整する少なくとも二つの分配部材によって混合されるか、又は、この貯蔵装置において混合されてこれら二つの分配部材によって混合される。
【０１３９】
例えば、機械式処理装置は、例えば受入容器内において、攪拌装置によって移動させられるように形成されたすりつぶし球を具備しても良い。すりつぶし球の移動は、次に、吹き過ぎ塗料及びフィルタ補助材の塊の破壊をもたらすことができ、もはや、受入容器内でのフィルタ補助材の滞留時間が非常に長く（数時間から数日）なるように、非常に低い回転速度で塊を確実にすりつぶすことを保証することが可能となる。こうして、フィルタ補助材は、好ましくは、フィルタ装置のフィルタ作業中に永久的にすりつぶされ、それにより、さらに、除去及び外部処理がなくても、新たな吹き過ぎ塗料が、理想的には物理的な吸収限界（水分吸収の文献値：約２７％ｗ／ｗ（未混入のフィルタ補助材の全質量に基づく吸収成分の質量割合パーセント）まで絶えず吸収されることができるように、細かく保たれる。受入容器の除去開口（吸引接続部）の格子は、フィルタ補助材及び吹き過ぎ塗料からなる物質が除去されるときに、受入容器からすりつぶし球が不注意により除去されることを防止することができる。
【０１４０】
処理装置、特に、処理装置の少なくとも一つの機械式処理装置は、好ましくは、吹き過ぎ塗料及びフィルタ補助材からなる物質の平均粒寸法が、約１００μｍより小さい、好ましくは約５０μｍより小さい、特に３０μｍより小さい、例えば約１０μｍより小さい値へ減少させられることを可能とする。
【０１４１】
本発明のさらなる特徴及び／又は利点は、実施形態の以下の記述及び図面の主題である。
【図面の簡単な説明】
【０１４２】
【図１】被加工物を塗装するための塗装設備の概略縦断面を示している。
【図２】図１からの塗装設備におけるフィルタ設備の第一実施形態の概略図を示し、本フィルタ設備はすりつぶし装置として形成されるフィルタ補助材を処理するための処理装置を具備している。
【図３】二つの中間貯蔵装置がフィルタ補助材の中間貯蔵のために設けられているフィルタ設備の第二実施形態の図２に対応する概略図を示している。
【図４】新しいフィルタ補助材と吹き過ぎ塗料が混入したフィルタ補助材とを混合するための混合装置が設けられているフィルタ設備の第三実施形態の図２に対応する概略図を示している。
【図５】処理装置が処理されたフィルタ補助材を加熱するための熱処理装置を具備しているフィルタ設備の第四実施形態の図２に対応する概略図を示している。
【図６】塗装された被加工物を乾燥させるための被加工物乾燥装置からの加熱空気が処理されるフィルタ補助材へ供給可能とされているフィルタ設備の第五実施形態の図２に対応する概略図を示している。
【図７】燃焼装置を具備する処理装置が設けられているフィルタ設備の第六実施形態の図２に対応する概略図を示している。
【図８】処理装置が燃焼装置と後燃焼装置とを具備し、塗装された被加工物を乾燥させるための被加工物乾燥装置からの排出空気が燃焼装置へ供給可能とされているフィルタ設備の第七実施形態の図２に対応する概略図を示している。
【図９】処理装置が燃焼装置と後燃焼装置とを具備し、後燃焼装置からの排出空気が燃焼装置へ供給可能とされているフィルタ設備の第八実施形態の図２に対応する概略図を示している。
【図１０】処理装置が冷却装置として形成された熱処理装置を具備しているフィルタ設備の第九実施形態の図２に対応する概略図を示している。
【図１１】対向流原理に従って作動させられる回転炉の概略図を示している。
【図１２】並流原理に従って作動させられる回転炉の概略図を示している。
【図１３】複数の加熱領域と除去装置とを具備している回転炉の概略図を示している。
【発明を実施するための形態】
【０１４３】
同じ又は機能的に等価な要素は、全ての図において同じ参照番号が与えられる。
【０１４４】
図１に図示され、全体として１００により示された塗装設備は、被加工物１０４、例えば、車体が、塗料を塗布されるように（塗装可能に）なっている塗装室１０２を具備している。
【０１４５】
被加工物１０４は、この目的のために、塗装室１０２の塗布領域１０６へ被加工物移送装置１０８によって送られることができ、また、再び移されることができる。
【０１４６】
塗装設備１００は、さらに、塗装室１０２の上側に配置された空気溜１１０を具備し、この空気溜によって、空気が塗装室１０２の塗布領域１０６へ供給可能とされる。
【０１４７】
さらに、塗装設備１００は、塗装室１０２の下側に配置されたフィルタ設備１１２を具備し、このフィルタ設備によって、塗布領域１０６を通して導かれて被加工物１０４への塗料の塗布による吹き過ぎ塗料を吸収した空気が浄化されることができる。
【０１４８】
フィルタ設備１１２は、複数のフィルタ装置１１４を具備している。
【０１４９】
各フィルタ装置１１４は、未処理気体室１１８を区画して少なくとも一つのフィルタ要素１２０が配置されるハウジング１１６を具備している。
【０１５０】
さらに、フィルタ装置１１４は、入口通路１２２を具備し、吹き過ぎ塗料が混入され塗布領域１０６を通して導かれた空気により形成される未処理気体流れが、この入口通路を通してフィルタ装置１１４の未処理気体室１１８へ流入することができる。
【０１５１】
フィルタ装置１１４は、乾質フィルタ装置として形成され、言い換えれば、未処理気体流れの浄化は、実質的に、フィルタ要素１２０への液体の追加なしに行われる。むしろ、フィルタ補助材が、未処理気体流れへ供給されることができ、このフィルタ補助材は、好ましくは、吹き過ぎ塗料の液体部分を吸収し、フィルタ要素１２０に吹き過ぎ塗料と共に堆積することができる。浄化気体流れが得られ、この浄化気体流れは、浄化気体通路１２３を通りフィルタ装置１１４から流出する。
【０１５２】
吹き過ぎ塗料及びフィルタ補助材からなる物質の堆積によって、フィルタ要素１２０から容易に汚れ落としされることができる防御層又は保護層がフィルタ要素１２０に形成される。
【０１５３】
それにより、フィルタ装置１１４は、再生されることができてフィルタ要素１２０の交換なしに再び使用できる再生可能なフィルタ装置１１４である。
【０１５４】
フィルタ要素１２０から汚れ落としされるフィルタ補助材及び吹き過ぎ塗料からなる物質は、フィルタ要素１２０の下側に配置されるフィルタ装置１１４の受入容器１２４に受け入れられることができる。
【０１５５】
混合機構１２７は、受入容器１２４において吹き過ぎ塗料及びフィルタ補助材からなる物質を混合するのに使用される。
【０１５６】
フィルタ補助材導入機構１２６は、例えば、受入容器１２４内の混合機構１２７によって形成され、未処理気体室１１８を通り流れる未処理気体流れへフィルタ補助材を導入するのに使用される。
【０１５７】
受入容器１２４内に配置された吹き過ぎ塗料及びフィルタ補助材からなる物質は、除去装置１２８によって受入容器１２４から除去されることができる。
【０１５８】
新しい又は処理されたフィルタ補助材は、供給装置１３０によってフィルタ装置１１４へ供給されることができる。
【０１５９】
除去装置１２８及び供給装置１３０は、フィルタ補助材と吹き過ぎ塗料及びフィルタ補助材からなる物質との少なくとも一方を移送するための移送装置１３２の構成要素である。
【０１６０】
フィルタ設備１１２のフィルタ作業中において、フィルタ装置１１４内に配置されたフィルタ補助材は、吹き過ぎ塗料により繰り返してより汚されるようになる。その結果として、さらなる吹き過ぎ塗料を固めて、それにより、フィルタ要素１２０の不変の汚れを回避するためのフィルタ補助材の能力は、損なわれる。
【０１６１】
それにより、フィルタ装置１１４内に配置されたフィルタ補助材は、新しいフィルタ補助材によって定期的な間隔で置き換えられなければならない。
【０１６２】
しかしながら、既に一度又は繰り返し使用されたフィルタ補助材がフィルタ設備１１２において、処理されたフィルタ補助材として少なくとも部分的に再び使用されることができるように、フィルタ補助材の処理が本質的に行われることができる。
【０１６３】
この目的のために、フィルタ設備１１２は、処理装置１３４を具備し、この処理装置によって、吹き過ぎ塗料及びフィルタ補助材からなる物質が処理されることができる。
【０１６４】
この場合において、処理装置１３４は、特に、少なくとも一つの粉砕装置１３６を具備し、この粉砕装置によって、吹き過ぎ塗料及びフィルタ補助材の塊は破壊され、それにより、吹き過ぎ塗料及びフィルタ補助材からなる物質の平均粒寸法は、減少させられることができる。
【０１６５】
処理装置１３４は、好ましくは、少なくとも一つの熱処理装置１４０、少なくとも一つの機械式処理装置１６０、及び、少なくとも一つの気体式処理装置１７０の少なくとも一つを具備している。
【０１６６】
熱処理装置１４０は、例えば、加熱装置１４２、冷却装置１４４、燃焼装置１４６、熱分解装置１４８、及び、後燃焼装置１５０の少なくとも一つとして形成されても良い。燃焼装置１４６は、例えば、回転炉１５２である。
【０１６７】
機械式処理装置１６０は、例えば、機械式すりつぶし装置１６２であっても良い。特に、すりつぶし装置１６２は、ミル１６４であって良く、このミルによって、吹き過ぎ塗料及びフィルタ補助材からなる物質は、平均粒寸法を減少するためにすりつぶされることができる。
【０１６８】
気体式処理装置１７０は、特に、気体式すりつぶし装置１７２、旋回流装置１７４、及び、圧縮空気装置１７６の少なくとも一つであっても良い。特に、吹き過ぎ塗料及びフィルタ補助材からなる物質は、気体式処理装置１７０によって旋回させられ、それにより、粉砕されることができるか、又は、フィルタ装置１１４の未処理気体室１１８を通って導かれる未処理気体流れへ供給されることができるか、又は、粉砕されてフィルタ装置１１４の未処理気体室１１８を通って導かれる未処理気体流れへ供給されることができる。少なくとも一つの気体式処理装置１７０は、好ましくは、この目的のために、フィルタ装置１１４内、特に、受入容器１２４内に配置される。
【０１６９】
本質的に、吹き過ぎ塗料及びフィルタ補助材からなる物質の処理が、少なくとも一つのフィルタ装置１１４、特に、少なくとも一つの受入容器１２４において行われるようにされても良い。こうして、例えば、吹き過ぎ塗料及びフィルタ補助材からなる物質を処理するための少なくとも一つの機械式処理装置１６０及び少なくとも一つの気体式処理装置１７０の少なくとも一方が、フィルタ装置１１４内、特に、受入容器１２４内に配置されるようにされても良い。
【０１７０】
好ましくは、吹き過ぎ塗料及びフィルタ補助材からなる物質の処理が、少なくとも一つのフィルタ装置１１４外の処理装置１３４によって実施されることができるようにされても良い。
【０１７１】
特に、吹き過ぎ塗料及びフィルタ補助材からなる物質は、このために、移送装置１３２によって、フィルタ装置１１４から処理装置１３４へ及び逆に移送されることができる。
【０１７２】
図１に図示された塗装設備１００は、以下のように機能する。
【０１７３】
塗装設備１００の塗装室１０２の塗布領域１０６において、被加工物１０４は塗装され、それゆえ、塗装室１０２を通り流れる空気には吹き過ぎ塗料が混入される。
【０１７４】
吹き過ぎ塗料が混入された空気は、フィルタ設備１１２へ未処理気体流れとして送られる。
【０１７５】
未処理気体流れは、入口通路１２２によってフィルタ設備１１２のフィルタ装置１１４における未処理気体室１１８内へ導かれる。フィルタ補助材が、フィルタ補助材導入機構１２６によって未処理気体流れへ導入される。
【０１７６】
未処理気体流れからの吹き過ぎ塗料は、フィルタ補助材、及び、各フィルタ装置１１４の少なくとも一つのフィルタ要素１２０上のフィルタ補助材の保護層の少なくとも一方に蓄積し、こうして、未処理気体流れから分離される。
【０１７７】
このように浄化された気体流れは、次に、浄化気体通路１２３によって浄化気体流れとしてフィルタ装置１１４から流出する。
【０１７８】
フィルタ補助材の機能は、フィルタ装置１１４の連続フィルタ作業によるフィルタ補助材上への吹き過ぎ塗料の蓄積によって次第に損なわれ、それゆえ、フィルタ補助材は、定期的な間隔で交換されて処理されなければならない。
【０１７９】
図１に図示された塗装設備１００の実施形態において、処理装置１３４は、概して、このために設けられ、この処理装置へ、受入容器１２４内に配置された吹き過ぎ塗料及びフィルタ補助材からなる物質が移送装置１３２によって供給可能とされる。
【０１８０】
吹き過ぎ塗料及びフィルタ補助材からなる物質の平均粒寸法は、特に、吹き過ぎ塗料及びフィルタ補助材の塊を破壊することによって処理装置１３４において減少させられる。
【０１８１】
処理された吹き過ぎ塗料及びフィルタ補助材からなる物質は、次に、処理されたフィルタ補助材として移送装置１３２によりフィルタ装置１１４へ再び送られることができる。
【０１８２】
フィルタ設備１１２、特に、処理装置１３４を制御し、又は、調整するか、制御して調整するために、少なくとも一つの制御装置１７５及び少なくとも一つの調整装置１７７の少なくとも一方が設けられる。
【０１８３】
図１は処理装置１３４を備えるフィルタ設備１１２を図示しており、処理装置はフィルタ設備１１２の機能的態様の全体記載のために詳細には記載されていない。
【０１８４】
様々な処理装置１３４を備えるフィルタ設備１１２の個々の実施形態が、以下に説明される図２から１０に図示されている。
【０１８５】
図２に図示されたフィルタ設備１１２の第一実施形態は、フィルタ装置１１４及び移送装置１３２から離間して、二つの貯蔵装置１８０を具備し、これら二つの貯蔵装置内には、フィルタ補助材と吹き過ぎ塗料及びフィルタ補助材からなる物質との少なくとも一方が吸収されて貯蔵されることができる。
【０１８６】
移送装置１３２は、フィルタ補助材と、吹き過ぎ塗料及びフィルタ補助材からなる物質とを運ぶ（移送する）ための輸送媒体として、空気を使用し、この空気は、フィルタ補助材と、吹き過ぎ塗料及びフィルタ補助材からなる物質とを所望位置に堆積させるために、分離器１７９によって分離されることができる。
【０１８７】
貯蔵装置１８０の一方は、吹き過ぎ塗料が混入していない新しいフィルタ補助材を受け入れるのに使用され、一方、他方の貯蔵装置１８０は、吹き過ぎ塗料が混入したフィルタ補助材を受け入れるのに使用され、この吹き過ぎ塗料が混入したフィルタ補助材は、もはや、処理されるために提供されず、それにより、処分されるものである。
【０１８８】
例えば、輸送車両のような輸送装置１８１は、新しいフィルタ補助材を分配するため、及び、処分されるフィルタ補助材を移動させるための少なくとも一方に使用される。
【０１８９】
処理装置１３４は、図２に図示されたフィルタ設備１１２の第一実施形態において、機械式処理装置１６０を具備し、この機械式処理装置は、すりつぶし装置１６２として形成され、この機械式処理装置へは、吹き過ぎ塗料及びフィルタ補助材からなる物質が、移送装置１３２によってフィルタ装置１１４から供給可能とされている。
【０１９０】
吹き過ぎ塗料及びフィルタ補助材からなる物質は、すりつぶし装置１６２によってすりつぶされ、移送装置１３２によってフィルタ装置１１４へ再び送られることができる。
【０１９１】
他の点において、図２に図示されたフィルタ設備１１２の第一実施形態は、図１に全体的に記載されたフィルタ設備１１２と、構造及び機能に関して一致し、それゆえ、この範囲への言及は上述されている。
【０１９２】
図３に図示されたフィルタ設備１１２の第二実施形態は、実質的に、中間貯蔵装置１８４が、吹き過ぎ塗料及びフィルタ補助材からなる物質の移送方向１８２に関する処理装置１３４の前側及び後側のそれぞれに、吹き過ぎ塗料及びフィルタ補助材からなる物質の中間貯蔵のために設けられていることが、図２に図示された第一実施形態と異なっている。
【０１９３】
移送方向１８２に関する処理装置１３４の前側に配置された中間貯蔵装置１８４は、さらに処理される吹き過ぎ塗料及びフィルタ補助材からなる物質の中間貯蔵のために使用される。
【０１９４】
移送方向１８２に関する処理装置１３４の後側に配置された中間貯蔵装置１８４は、処理装置１３４によって処理された吹き過ぎ塗料及びフィルタ補助材からなる物質を吸収するのに使用される。
【０１９５】
他の点において、フィルタ設備１１２の図３に図示された第二実施形態は、図２に図示された第一実施形態と、構造及び機能に関して一致し、それゆえ、この範囲への言及は上述されている。
【０１９６】
図４に図示されたフィルタ設備１１２の第三実施形態は、実質的に、処理装置１３４が混合装置１８６として形成されていることが、図２に図示された第一実施形態と異なっている。
【０１９７】
フィルタ装置１１４から除去された吹き過ぎ塗料及びフィルタ補助材からなる物質は、混合装置１８６によって、貯蔵装置１８０からの新しい未混入のフィルタ補助材と混合されることができ、それにより、再利用可能な吹き過ぎ塗料及びフィルタ補助材からなる物質、言い換えれば、処理された吹き過ぎ塗料及びフィルタ補助材からなる物質が、得られることができる。
【０１９８】
混合装置１８６は、好ましくは、測定装置１８８を具備し、この測定装置によって、フィルタ補助材のどの程度に吹き過ぎ塗料が混入しているかが測定可能である。こうして、フィルタ装置１１４へ取り換え供給する間に、フィルタ補助材のフィルタ機能を確保するためには、どの程度の新しい未混入のフィルタ補助材が、吹き過ぎ塗料及びフィルタ補助材からなる物質と混合させられなければならないかが決定されることができる。
【０１９９】
制御装置１７５及び調整装置１７７の少なくとも一方は、特に、測定装置１８８によって測定された値に応じて、混合装置１８６を制御又は調整するのに使用され、又は、制御及び調整するのに使用される。
【０２００】
他の点において、図４に図示されたフィルタ設備１１２の第三実施形態は、図２に図示された第一実施形態と、構造及び機能に関して一致し、それゆえ、この範囲への言及は上述されている。
【０２０１】
図５に図示されたフィルタ設備１１２の第四実施形態は、実質的に、処理装置１３４が機械式処理装置１６０を具備し、この機械式処理装置には熱処理装置１４０が設けられていることが、図２に図示された第一実施形態と異なっている。
【０２０２】
熱処理装置１４０は、ここでは、加熱装置１４２として形成され、機械式処理装置１６０内に配置された吹き過ぎ塗料及びフィルタ補助材からなる物質を加熱するのに使用される。
【０２０３】
吹き過ぎ塗料及びフィルタ補助材からなる物質は、加熱装置１４２によって、特に、約５０℃と約１００℃との間の温度へ加熱されることができる。こうして、吹き過ぎ塗料及びフィルタ補助材からなる物質内に存在する溶剤は、消散（蒸発）させられることができる。
【０２０４】
さらに、吹き過ぎ塗料及びフィルタ補助材からなる物質は、加熱装置１４２によって約１００℃と約１８０℃との間の温度へ加熱されることができる。その結果として、吹き過ぎ塗料は硬化させられることができ、それゆえ、吹き過ぎ塗料及びフィルタ補助材からなる物質は、機械式処理装置１６０によってより容易にすりつぶされることができる。
【０２０５】
さらに、図５に図示されたフィルタ設備１１２の第四実施形態は、図２に図示された第一実施形態と、機能及び構造に関して一致し、それゆえ、この範囲への言及は上述されている。
【０２０６】
図６に図示されたフィルタ設備１１２の第五実施形態は、実質的に、処理装置１３４が塗装された被加工物１０４を乾燥させるための被加工物乾燥装置１９０からの排出空気が供給可能な機械式処理装置１６０を具備することが、図５に図示された第四実施形態と異なっている。
【０２０７】
それにより、処理装置１３４は、気体式処理装置１７０を具備し、この気体式処理装置によって、空気、特に、高温空気が、吹き過ぎ塗料及びフィルタ補助材からなる物質へ供給されるようになっている。
【０２０８】
吹き過ぎ塗料及びフィルタ補助材からなる物質の塗料部分は、特に、被加工物乾燥装置１９０からの排出空気によって乾燥させられることができ、それにより、吹き過ぎ塗料及びフィルタ補助材からなる物質のより容易な機械式処理が、例えば、すりつぶし装置１６２のように形成された機械式処理装置１６０によって吹き過ぎ塗料及びフィルタ補助材からなる物質をつりつぶすことによって可能となる。
【０２０９】
他の点において、図６に図示されたフィルタ設備１１２の第五実施形態は、図５に図示された第四実施形態と、構造及び機能に関して一致し、それゆえ、この範囲への言及は上述されている。
【０２１０】
図７に図示されたフィルタ設備１１２の第六実施形態は、実質的に、燃焼装置１４６、例えば回転炉１５２として形成された熱処理装置１４０が移送方向１８２に関して機械式処理装置１６０の前側に設けられていることが、図２に図示されたフィルタ設備１１２の第一実施形態と異なっている。
【０２１１】
フィルタ装置１１４からの吹き過ぎ塗料及びフィルタ補助材からなる物質は、吹き過ぎ塗料及びフィルタ補助材からなる物質内の有機部分を燃焼するために、熱処理装置１４０へ供給されることができる。特に、熱処理装置１４０が回転炉１５２のように形成されていると、熱処理装置１４０によって、一方で、吹き過ぎ塗料及びフィルタ補助材からなる物質の処理が行われることができ、同時に、吹き過ぎ塗料及びフィルタ補助材からなる物質の移送、特に、機械式処理装置１６０への移送が行われることができる。
【０２１２】
他の点において、図７に図示されたフィルタ設備１１２の第六実施形態は、図２に図示された第一実施形態と、構造及び機能に関して一致し、それゆえ、この範囲への言及は上述されている。
【０２１３】
図８に図示されたフィルタ設備１１２の第七実施形態は、実質的に、処理装置１３４が、機械式処理装置１６０と燃焼装置１４６として形成された熱処理装置１４０とに加えて、後燃焼装置１５０として形成された熱処理装置１４０を具備することが、図７に図示された第六実施形態と異なっている。
【０２１４】
後燃焼装置１５０は、排出空気、特に、燃焼装置１４６として形成された熱処理装置１４０からの排出空気の後燃焼のために使用される。
【０２１５】
それにより、後燃焼装置１４０へは、吹き過ぎ塗料及びフィルタ補助材からなる物質は供給されず、回転炉１５２として形成された燃焼装置１４６からの排出空気だけが供給される。
【０２１６】
図８に図示されたフィルタ設備１１２の第七実施形態において、回転炉１５２として形成された燃焼装置１４６を作動するために必要な空気は、塗装された被加工物１０４を乾燥させるための被加工物乾燥装置１９０から提供される。
【０２１７】
それにより、図８に図示されたフィルタ設備１１２の第七実施形態において、空気流れは、燃焼装置１４６として形成された熱処理装置１４０へ、最終的には、後燃焼装置１５０として形成された熱処理装置１４０へ、被加工物乾燥装置１９０からもたらされる。この種の空気導入は、熱処理装置１４０を作動するために必要な温度がより容易に僅かな追加エネルギ入力により実現可能である利点を有している。その結果として、熱処理装置１４０の作動のための例えば気体、特に、天然ガスは節約されることができる。
【０２１８】
他の点において、図８に図示されたフィルタ設備１１２の第七実施形態は、図７に図示された第六実施形態と、構造及び機能に関して一致し、それゆえ、この範囲への言及は上述されている。
【０２１９】
図９に図示されたフィルタ設備１１２の第八実施形態は、実質的に、燃焼装置１４６へ供給される空気が被加工物乾燥装置１９０から到来せずに、後燃焼装置１５０として形成された熱処理装置１４０からの排出空気が使用されることが、図８に図示された第七実施形態と異なっている。こうして、空気流れ（又は、空気流れの少なくとも一部）の循環は、燃焼装置１４６及び後燃焼装置１５０によって実現されることができる。
【０２２０】
他の点において、図９に図示されたフィルタ設備１１２の第八実施形態は、図８に図示された第七実施形態と、構造及び機能に関して一致し、それゆえ、この範囲への言及は上述されている。
【０２２１】
図１０に図示されたフィルタ設備１１２の第九実施形態は、実質的に、処理装置１３４が、機械式処理装置１６０に加えて、冷却装置１４４のように形成された熱処理装置１４０を具備することが、図２に図示された第一実施形態と異なっている。
【０２２２】
この場合において、冷却装置１４４は、好ましくは、吹き過ぎ塗料及びフィルタ補助材からなる物質の移送方向１８２に関して機械式処理装置１６０の前側に配置される。
【０２２３】
吹き過ぎ塗料及びフィルタ補助材からなる物質は、冷却装置１４４によって冷却されることができる。特に、吹き過ぎ塗料及びフィルタ補助材からなる物質は、吹き過ぎ塗料のガラス転移温度より低い温度へ冷却装置１４４によって冷却されることができる。例えば、吹き過ぎ塗料及びフィルタ補助材からなる物質は、約５℃の温度へ冷却されることができる。
【０２２４】
吹き過ぎ塗料及びフィルタ補助材からなる物質の冷却は、この物質内の塗料部分が、もろくなり、こうして、より容易に機械的に処理されることができ、特に、より容易にすりつぶされることができることをもたらす。
【０２２５】
フィルタ設備１１２のさらなる実施形態（図示せず）において、吹き過ぎ塗料及びフィルタ補助材からなる物質の冷却は、機械式処理装置１６０の前側で行われずに、機械式処理装置１６０において行われるようにされても良い。
【０２２６】
他の点において、図１０に図示されたフィルタ設備１１２の第九実施形態は、図２に図示された第一実施形態と、構造及び機能に関して一致し、それゆえ、この範囲への言及は上述されている。
【０２２７】
燃焼装置１４６の様々な実施形態が図１１から１３に図示されている。特に、燃焼装置１４６は回転炉１５２である。
【０２２８】
図１１に図示された実施形態において、回転炉１５２は回転炉１５２の内部１９４を加熱するための加熱領域１９２を有するようにされる。
【０２２９】
回転炉１５２は、ここでは、対向流原理に従って作動させられても良く、言い換えれば、吹き過ぎ塗料及びフィルタ補助材からなる物質は、回転炉１５２の内部１９４を通る移送方向１８２に移送され、この移送方向は、気体、特に、処理気体が回転炉１５２の内部１９４を通り移送される気体移送方向１９６とは反対となる。
【０２３０】
その結果として、回転炉１５２の内部１９４へ導入される吹き過ぎ塗料及びフィルタ補助材からなる物質が、高温気体、特に、この内部１９４へ流入する処理気体に直接的に接触するようになり、それにより、より速く処理されるために、回転炉１５２は特に短くされても良い。
【０２３１】
図１２に図示された回転炉１５２のように形成された燃焼装置１４６の第二実施形態は、実質的に、気体移送方向１９６と吹き過ぎ塗料及びフィルタ補助材からなる物質の移送方向１８２とが、互いに関して平行で同じ方向に向けられることが、図１１に図示された実施形態と異なっている。それにより、図１２に図示された回転炉１５２は、並流動作において作動させられる。
【０２３２】
その結果として、生成凝縮物は、好ましくは、高温処理気体内により長く保持されることができ、それにより、凝縮物も完全に転化される可能性が増大するようになる。こうして、生成タール状残留物の量は、好ましくは、低減されることができる。
【０２３３】
他の点において、図１２に図示された回転炉１５２の実施形態は、図１１に図示された実施形態と、構造及び機能に関して一致し、それゆえ、この範囲への言及は上述されている。
【０２３４】
図１３に図示された回転炉１５２のように形成された燃焼装置１４６の第三実施形態は、実質的に、単一の加熱領域１９２に代えて、複数、特に、四つの加熱領域１９２が設けられていることが、図１２に図示された実施形態と異なっている。
【０２３５】
互いに関して平行で同じ方向に向けられている気体移送方向１９６と吹き過ぎ塗料及びフィルタ補助材からなる物質の移送方向１８２とに関して、加熱領域１９２ａ、１９２ｂ、１９２ｃ、及び、１９２ｄは、ここでは、互いに次に続くように配置されている。
【０２３６】
さらに、図１３に図示された回転炉１５２の実施形態は、吹き過ぎ塗料及びフィルタ補助材からなる物質、特に、処理されたフィルタ補助材が、回転炉１５２の一端部において、回転炉から除去されないことが、図１２に図示された実施形態と異なっている。むしろ、除去装置１９８が設けられ、この除去装置によって、吹き過ぎ塗料及びフィルタ補助材からなる物質は、二つの加熱領域１９２の間、特に、加熱領域１９２ｂと加熱領域１９２ｃとの間から除去されることができる。
【０２３７】
この種の除去装置１９８は、吹き過ぎ塗料及びフィルタ補助材からなる物質の移送方向１８２と気体移送方向１９６とにおいて、除去装置１９８に続く加熱領域１９２ｃ及び１９２ｄをより強く加熱することを可能とする。その結果として、懸念されなければならない過剰加熱によるフィルタ補助材の損傷なしに、吹き過ぎ塗料及びフィルタ補助材からなる物質から排出される物質の完全燃焼が保証されることができる。
【０２３８】
他の点において、図１３に図示された回転炉１５２の実施形態は、図１２に図示された実施形態と、構造及び機能に関して一致し、それゆえ、この範囲への言及は上述されている。
【０２３９】
吹き過ぎ塗料及びフィルタ補助材からなる物質を処理するために、本質的に、フィルタ設備１１２の説明された実施形態の個々の又は複数の態様は、望まれるときには、互いに組み合わされることができる。こうして、例えば、吹き過ぎ塗料及びフィルタ補助材からなる物質は、最初に、図７に従って燃焼装置１４６へ供給され、次いで、図１０に従って冷却装置１４４によって冷却されるようにされても良い。
【０２４０】
吹き過ぎ塗料及びフィルタ補助材からなる物質の処理がフィルタ設備１１２の説明された全ての実施形態において行われるために、特に、フィルタ補助材の節約と、フィルタ設備１１２及びその結果としてさらに塗装設備１００の効果的な作動とが可能とされる。
【図１】
2013544640.tif 000003
【図２】
2013544640.tif 000004
【図３】
2013544640.tif 000005
【図４】
2013544640.tif 000006
【図５】
2013544640.tif 000007
【図６】
2013544640.tif 000008
【図７】
2013544640.tif 000009
【図８】
2013544640.tif 000010
【図９】
2013544640.tif 000011
【図１０】
2013544640.tif 000012
【図１１】
2013544640.tif 000013
【図１２】
2013544640.tif 000014
【図１３】
2013544640.tif 000015
【国際調査報告】
2013544640.tif 000016
2013544640.tif 000017
2013544640.tif 000018
2013544640.tif 000019